【手続補正書】
【提出日】平成17年6月15日(2005.6.15)
【手続補正１】
【補正対象書類名】明細書
【補正対象項目名】発明の名称
【補正方法】変更
【補正の内容】
【発明の名称】座標入力装置及びその制御方法、情報処理装置、プログラム
【手続補正２】
【補正対象書類名】明細書
【補正対象項目名】特許請求の範囲
【補正方法】変更
【補正の内容】
【特許請求の範囲】
【請求項１】
座標入力領域上の指示位置を算出する座標入力装置であって、
前記指示位置を検出し、該指示位置の座標を算出する算出手段と、
前記算出手段で算出された座標の属する前記座標入力領域上の領域を判定する判定手段と、
前記判定手段で判定された前記座標の属する領域に基づいて、前記指示位置に伴うペンダウン情報を生成する生成手段と
を備えることを特徴とする座標入力装置。
【請求項２】
前記座標入力領域は、画面上に軌跡を描画するあるいは画面上のカーソルを移動操作する入力が可能なペン入力領域と、スイッチ情報の入力が可能なスイッチ入力領域とからなる
ことを特徴とする請求項１に記載の座標入力装置。
【請求項３】
前記座標入力領域の角部に設けられた受光手段と、
前記座標入力領域の周辺部に設けられ、入射光を再帰的に反射する反射手段と、
前記座標入力領域に光を照明する発光手段とを更に備え、
前記算出手段は、前記受光手段から得られる光量分布において、所定レベルを横切る点に対応する角度情報を算出し、その角度情報に基づいて、前記指示位置の座標を算出する
ことを特徴とする請求項１に記載の座標入力装置。
【請求項４】
初期状態で前記受光手段から得られる光量分布と座標入力サンプリング状態で前記受光手段から得られる光量分布との変化量に基づいて、検出される指示状態が前記座標入力領域に対して近接しているか否かを示す近接情報を生成する近接情報生成手段と
を更に備えることを特徴とする請求項３に記載の座標入力装置。
【請求項５】
前記座標入力領域は、前記近接情報を第１判定基準として前記ペンダウン情報を生成する第１領域と、前記第１判定基準とは異なる第２判定基準でペンダウン情報を生成する第２領域からなる
ことを特徴とする請求項４に記載の座標入力装置。
【請求項６】
スイッチ機能を有する指示具からのスイッチ情報を検出するスイッチ情報検出手段を更に備え、
前記第２判定基準は、前記スイッチ情報である
ことを特徴とする請求項５に記載の座標入力装置。
【請求項７】
前記第２判定基準は、初期状態で前記受光手段から得られる光量分布と座標入力サンプリング状態で前記受光手段から得られる光量分布との変化の比である
ことを特徴とする請求項５に記載の座標入力装置。
【請求項８】
前記座標入力領域は、画面上に軌跡を描画するあるいは画面上のカーソルを移動操作する入力が可能なペン入力領域と、スイッチ情報の入力が可能なスイッチ入力領域とからなり、前記ペン入力領域は前記第２領域に対応し、前記スイッチ入力領域は前記第１領域に対応する
ことを特徴とする請求項５に記載の座標入力装置。
【請求項９】
前記ペン入力領域から連続的に前記スイッチ入力領域に指示入力が行われる場合には、前記スイッチ入力領域を前記第２領域として機能させる
ことを特徴とする請求項８に記載の座標入力装置。
【請求項１０】
座標入力領域上の指示位置を算出する座標入力部と、該座標入力部と一体的に構成された表示部と、該座標入力部から出力される情報を含む各種情報の処理を行うとともに該表示部の制御を行う表示制御部を有する情報処理装置であって、
前記指示位置を検出し、該指示位置の座標を算出する算出手段と、
前記算出手段で算出された座標の属する前記座標入力領域上の領域を判定する判定手段と、
前記判定手段で判定された前記座標の属する領域に基づいて、前記指示位置に伴うペンダウン情報を生成する生成手段と
を備えることを特徴とする情報処理装置。
【請求項１１】
座標入力領域上の指示位置を算出する座標入力装置の制御方法であって、
前記指示位置を検出し、該指示位置の座標を算出する算出工程と、
前記算出工程で算出された座標の属する前記座標入力領域上の領域を判定する判定工程と、
前記判定工程で判定された前記座標の属する領域に基づいて、前記指示位置に伴うペンダウン情報を生成する生成工程と
を備えることを特徴とする座標入力装置の制御方法。
【請求項１２】
コンピュータに、座標入力領域上の指示位置を算出する座標入力装置の制御を実行させるためのプログラムであって、
前記指示位置を検出し、該指示位置の座標を算出する算出工程と、
前記算出工程で算出された座標の属する前記座標入力領域上の領域を判定する判定工程と、
前記判定工程で判定された前記座標の属する領域に基づいて、前記指示位置に伴うペンダウン情報を生成する生成工程と
を備えることを特徴とするプログラム。
【手続補正３】
【補正対象書類名】明細書
【補正対象項目名】００１３
【補正方法】変更
【補正の内容】
【００１３】
[課題を解決するための手段]
上記の目的を達成するための本発明による座標入力装置は以下の構成を備える。即ち、
座標入力領域上の指示位置を算出する座標入力装置であって、
前記指示位置を検出し、該指示位置の座標を算出する算出手段と、
前記算出手段で算出された座標の属する前記座標入力領域上の領域を判定する判定手段と、
前記判定手段で判定された前記座標の属する領域に基づいて、前記指示位置に伴うペンダウン情報を生成する生成手段と
を備える。
また、好ましくは、前記座標入力領域は、画面上に軌跡を描画するあるいは画面上のカーソルを移動操作する入力が可能なペン入力領域と、スイッチ情報の入力が可能なスイッチ入力領域とからなる。
また、好ましくは、前記座標入力領域の角部に設けられた受光手段と、
前記座標入力領域の周辺部に設けられ、入射光を再帰的に反射する反射手段と、
前記座標入力領域に光を照明する発光手段とを更に備え、
前記算出手段は、前記受光手段から得られる光量分布において、所定レベルを横切る点に対応する角度情報を算出し、その角度情報に基づいて、前記指示位置の座標を算出する。
また、好ましくは、初期状態で前記受光手段から得られる光量分布と座標入力サンプリング状態で前記受光手段から得られる光量分布との変化量に基づいて、検出される指示状態が前記座標入力領域に対して近接しているか否かを示す近接情報を生成する近接情報生成手段と
を更に備える。
また、好ましくは、前記座標入力領域は、前記近接情報を第１判定基準として前記ペンダウン情報を生成する第１領域と、前記第１判定基準とは異なる第２判定基準でペンダウン情報を生成する第２領域からなる。
また、好ましくは、スイッチ機能を有する指示具からのスイッチ情報を検出するスイッチ情報検出手段を更に備え、
前記第２判定基準は、前記スイッチ情報である。
また、好ましくは、前記第２判定基準は、初期状態で前記受光手段から得られる光量分布と座標入力サンプリング状態で前記受光手段から得られる光量分布との変化の比である。
また、好ましくは、前記座標入力領域は、画面上に軌跡を描画するあるいは画面上のカーソルを移動操作する入力が可能なペン入力領域と、スイッチ情報の入力が可能なスイッチ入力領域とからなり、前記ペン入力領域は前記第２領域に対応し、前記スイッチ入力領域は前記第１領域に対応する。
また、好ましくは、前記ペン入力領域から連続的に前記スイッチ入力領域に指示入力が行われる場合には、前記スイッチ入力領域を前記第２領域として機能させる。
上記の目的を達成するための本発明による情報処理装置は以下の構成を備える。即ち、
座標入力領域上の指示位置を算出する座標入力部と、該座標入力部と一体的に構成された表示部と、該座標入力部から出力される情報を含む各種情報の処理を行うとともに該表示部の制御を行う表示制御部を有する情報処理装置であって、
前記指示位置を検出し、該指示位置の座標を算出する算出手段と、
前記算出手段で算出された座標の属する前記座標入力領域上の領域を判定する判定手段と、
前記判定手段で判定された前記座標の属する領域に基づいて、前記指示位置に伴うペンダウン情報を生成する生成手段と
を備える。
上記の目的を達成するための本発明による座標入力装置の制御方法は以下の構成を備える。即ち、
座標入力領域上の指示位置を算出する座標入力装置の制御方法であって、
前記指示位置を検出し、該指示位置の座標を算出する算出工程と、
前記算出工程で算出された座標の属する前記座標入力領域上の領域を判定する判定工程と、
前記判定工程で判定された前記座標の属する領域に基づいて、前記指示位置に伴うペンダウン情報を生成する生成工程と
を備える。
上記の目的を達成するための本発明によるプログラムは以下の構成を備える。即ち、
コンピュータに、座標入力領域上の指示位置を算出する座標入力装置の制御を実行させるためのプログラムであって、
前記指示位置を検出し、該指示位置の座標を算出する算出工程と、
前記算出工程で算出された座標の属する前記座標入力領域上の領域を判定する判定工程と、
前記判定工程で判定された前記座標の属する領域に基づいて、前記指示位置に伴うペンダウン情報を生成する生成工程と
を備える。